(57)【要約】  制御部、ポンプ及びポンプ用駆動源を備えた機体に、ホッパーのすり鉢状部分を支持するすり鉢状環状壁の内側にホッパーを誘導加熱する誘導加熱コイルを有する環状支持体を固定したスープ類を一定量ずつ供給するスープ類の誘導加熱装置であり、前記すり鉢状環状壁に貫通孔を形成し、一方、前記すり鉢状環状壁の内壁面に可動式の温度センサーを支持する支持部材を固定し、温度センサーは、その先端部が前記貫通孔を介して前記支持部材に設けたバネ部材で前記ホッパーのすり鉢状部分の外面に当接する方向に常時付勢されていることを特徴とするスープ類の誘導加熱装置。
2010050043.tif 000002
【特許請求の範囲】
【請求項１】
スープ類を一定量ずつ供給するポンプ及びポンプ用駆動源を備えた機体と、磁性金属材料で成形されていると共に、かつすり鉢状部分に連設する下端部が前記ポンプに取外し可能にセットされるホッパーと、該ホッパーの上蓋に回転自在に垂下されかつスープ類を攪拌する攪拌羽根を有する回転軸と、前記ポンプの上方に位置するように前記機体に一体的に設けられかつ前記ホッパーのすり鉢状部分を支持するすり鉢状環状壁の内側に前記ホッパーを誘導加熱する誘導加熱コイルを有する環状支持体と、この環状支持体或いは前記機体に設けられかつ前記誘導加熱コイルに電源を供給する制御部とから成り、前記すり鉢状環状壁に貫通孔を形成し、一方、前記すり鉢状環状壁の内壁面に可動式の温度センサーを支持する支持部材を固定し、前記温度センサーは、その先端部が前記貫通孔を介して前記支持部材に設けたバネ部材で前記ホッパーのすり鉢状部分の外面に当接する方向に常時付勢されていることを特徴とするスープ類の誘導加熱装置。
【請求項２】
請求項１に於いて、回転軸の下端部には、ホッパーのすり鉢状部分の内周面を摺接するバネ性の樹脂片を有する焦げ付き防止用羽根が設けられていることを特徴とするスープ類の誘導加熱装置。
【請求項３】
請求項１に於いて、環状支持体のホッパー用受けのすり鉢状環状壁の内壁面には、支持部材と誘導加熱コイルとを遮蔽する遮蔽部材が固定されていることを特徴とするスープ類の誘導加熱装置。
【請求項４】
請求項１に於いて、環状支持体の一側壁には、熱放出用の開口が形成されて、該開口に臨むように環状支持体には熱放出ファンが内装されていることを特徴とするスープ類の誘導加熱装置。
【請求項５】
請求項１に於いて、環状支持体は、上壁に形成された上方開口と下壁に形成された下方開口を有するケース体と、前記下方開口から前記ケース体に入り、かつすり鉢状環状壁に連設する上部のフランジが固定手段を介して前記上壁の内面に固定されるホッパー用受けとから成ることを特徴とするスープ類の誘導加熱装置。
【請求項６】
請求項１に於いて、回転軸の下端部には、スープ類の具をポンプの上方開口側に押し込む押し込み羽根が設けられていることを特徴とするスープ類の誘導加熱装置。
【発明の詳細な説明】
【技術分野】
【０００１】
本発明は、スープ類の誘導加熱装置に関し、特に、具入りスープ類を定量ずつ供給するスープ類の誘導加熱装置に関する。
【背景技術】
【０００２】
特許文献１にはスープ類の冷却装置が記載されている。この冷却装置は、スープ類を一定量ずつ供給するポンプ及びポンプ用駆動源を備えた機体と、前記ポンプに取外し可能にセットされるホッパーと、このホッパーの周りの一部と直接面接触する冷却板を含む電子冷却素子体とを有し、かつ前記機体に一体的に設けられた環状支持体と、この環状支持体或いは前記機体に設けられ、かつ前記冷却ユニットに配線を介して電源を供給する制御部とから成り、前記冷却ユニットは、前記環状支持体の内部空間に周方向に所要間隔を有して複数個配設されている。【０００３】
このスープ類の冷却装置は、ホッパー内にスープ類、果実飲料などの食する物を入れて冷却し、一般の需要者に一定量ずつ供給することを目的とする。したがって、この装置は食する物を加熱することはできない。【０００４】
特許文献２には、具入りスープ類の小分け装置が記載されている。この小分け装置は、（ａ）具入りスープを収納するホッパーと、（ｂ）このホッパーの外壁面側からホッパー内の具入りスープを加熱することができるようにホッパーカバーに内に配設された加熱手段と、（ｃ）前記具入りスープを攪拌することができるようにホッパーの下方に連設する筒状内弁内に設けられた攪拌手段と、（ｄ）前記筒状内弁の下方に前記ホッパーの下端開口に連通するように配設された定量筒体、（ｅ）該定量筒体に入り込んだ具入りスープを一定量ずつ供給する押し出し棒をそれぞれ備えたプランジャー型ポンプと、（ｆ）プランジャー型ポンプや前記各部をそれぞれ適宜箇所にセットするための機体とから成る技術が開示されている。【０００５】
しかして、この小分け装置は、ホッパー用環状支持体（ホッパー受台）の内部に設けた加熱手段でホッパーを加熱することができるものの、ホッパーの内周壁が焦げ付かないように加熱するには不十分であった。その理由は、ホッパーの温度状態を検出する温度センサーが設けられていないこと、加熱手段近傍のホッパーのすり鉢状部分（下方に先細り状円筒形部分）内に攪拌手段が配設されていないこと、攪拌手段は筒状内弁の内周壁に摺接しないこと等である。【０００６】
そこで、現在、特許文献１の基本的な構成を応用しつつ、ホッパー内に具入りスープ類（コーンスープ、カレーも含む）を入れて１００度以上加熱し、一般の需要者に提供する際には、適温（例えば６０度〜７０度）状態で一定量ずつ供給可能なスープ類の誘導加熱装置の出現が要望されている。【０００７】
ところで、特許文献３には、誘導加熱炊飯器が記載されている。この誘導加熱炊飯器の図１には、鍋を支持する凹所形状のコイル支持台の底部に誘導加熱コイルを装着する事項、前記底部の中心部に底センサー部を取付ける事項が記載されている。しかし、この特許文献３は、炊飯器に関するものであり、また、底センサー部の具体的構成は不明瞭である。なお、炊飯器の技術分野に於いて、磁性金属材料で成形されている釜の底部に誘導電流（渦電流）を発生させ、これにより釜の底部に自己発熱を生じさせ、釜内部の調理物を加熱することは自明事項である（例えば特開２００８−１２６０５０公報）。
【特許文献１】特開２００５−２５３３５５号公報
【特許文献２】特許第３２６７９６４号公報
【特許文献３】特開２００１−１７３１４号公報
【発明の開示】
【発明が解決しようとする課題】
【０００８】
本発明の所期の目的は、特許文献１の基本的な構成を応用しつつ、ホッパー内に具入りスープ類（コーンスープ、カレーも含む）を入れて１００度以上加熱し、一般の需要者に提供する際には、適温（例えば６０度〜７０度）状態で一定量ずつ供給可能なスープ類の誘導加熱装置を提供することである。第２の目的は、ホッパーをホッパー用環状支持体（ホッパー受台）にセットすると、温度センサーの先端部は、ホッパーのすり鉢状部分の外面に確実に当接することである。第３の目的は、加熱時又は加熱した時、ホッパーのすり鉢状部分の内周面の焦げ付き防止乃至焦げを剃り取ることができることである。第４の目的は、温度センサー及び支持部材を誘導加熱コイルの熱から保護すること、その他、ホッパー用環状支持体に温度センサー及びセンサー用支持部材を容易に取付けることができること、また、具入りスープ類をポンプの上方開口側に確実に押し込むことができることである。
【課題を解決するための手段】
【０００９】
本発明のスープ類の誘導加熱装置は、スープ類を一定量ずつ供給するポンプ及びポンプ用駆動源を備えた機体と、磁性金属材料で成形されていると共に、かつすり鉢状部分に連設する下端部が前記ポンプに取外し可能にセットされるホッパーと、該ホッパーの上蓋に回転自在に垂下されかつスープ類を攪拌する攪拌羽根を有する回転軸と、前記ポンプの上方に位置するように前記機体に一体的に設けられかつ前記ホッパーのすり鉢状部分を支持するすり鉢状環状壁の内側に前記ホッパーを誘導加熱する誘導加熱コイルを有する環状支持体と、この環状支持体或いは前記機体に設けられかつ前記誘導加熱コイルに電源（高周波電力）を供給する制御部とから成り、前記すり鉢状環状壁に貫通孔を形成し、一方、前記すり鉢状環状壁の内壁面に可動の温度センサーを支持する支持部材を固定し、前記温度センサーは、その先端部が前記貫通孔を介して前記支持部材に設けたバネ部材で前記ホッパーのすり鉢状部分の外面に当接する方向に常時付勢されていることを特徴とする。【００１０】
上記構成に於いて、回転軸の下端部には、ホッパーのすり鉢状部分の内周面を摺接するバネ性の樹脂片を有する焦げ付き防止用羽根が設けられていることを特徴とする。また、環状支持体のホッパー用受けのすり鉢状環状壁の内壁面には、支持部材と誘導加熱コイルとを遮蔽する遮蔽部材が固定されていることを特徴とする。また、環状支持体の一側壁には、熱放出用の開口が形成されて、該開口に臨むように環状支持体には熱放出ファンが内装されていることを特徴とする。また、環状支持体は、上壁に形成された上方開口と下壁に形成された下方開口を有するケース体と、前記下方開口から前記ケース体に入り、かつすり鉢状環状壁に連設する上部のフランジが固定手段を介して前記上壁の内面に固定されるホッパー用受けとから成ることを特徴とする。さらに、回転軸の下端部には、スープ類の具をポンプの上方開口側に押し込む押し込み羽根が設けられていることを特徴とする。
【発明の効果】
【００１１】
（ａ）ホッパー内に具入りスープ類（コーンスープ、カレーも含む）を入れて１００度以上加熱し、一般の需要者に提供する際には、適温（例えば６０度〜７０度）状態で一定量ずつ供給することができる。
（ｂ）加熱時、ホッパーを１００度以上（例えば１２０度）誘導加熱しても、制御部は、温度センサーの信号を取得するので、ホッパーの内周壁が焦げ付かないように誘導加熱コイルに対する供給電源を制御することができる。
（ｃ）ホッパーをホッパー用環状支持体（ホッパー受台）にセットすると、温度センサーの先端部は、ホッパーのすり鉢状部分の外面に確実に当接する。
（ｄ）実施例によっては、ホッパーのすり鉢状部分の内周面の焦げを剃り取ることができる。
（ｅ）実施例によっては、温度センサー及び支持部材が誘導加熱コイルの熱から保護される。
（ｆ）その他、環状支持体の熱を開口から効率的に放出することができる、スープ類の具をポンプの上方開口側に確実に押し込むことができる、温度センサー及びセンサー用支持部材を装着したホッパー用受けをケース本体内に容易に取付けることができるなどの効果がある。
【図面の簡単な説明】
【００１２】
図１乃至図１２は本発明の第１実施例を示す各説明図。図１３及び図１４は本発明の環状支持体に他の構成を加味した各説明図。
【図１】右側面視からの概略説明図。
【図２】正面視からの概略説明図。
【図３】ポンプの一例を示す概略断面説明図。
【図４】要部の分解斜視図。
【図５】ホッパーを環状支持体にセットする前の説明図。
【図６】ホッパーを環状支持体にセットした説明図。
【図７】要部（環状支持体）の概略断面説明図。
【図８】要部（センサー用支持部材）の斜視図。
【図９】図８の要部を環状支持体に取付けた概略断面説明図。
【図１０】要部（回転軸の羽根）の斜視図。
【図１１】要部（回転軸の羽根）の正面図。
【図１２】要部（焦げ付き防止用羽根）の説明図。
【図１３】本発明の環状支持体に放熱用開口を形成した説明図。
【図１４】本発明の環状支持体に熱放出ファンを内装した説明図。
【符号の説明】
【００１３】
Ｘ…食物用誘導加熱装置、1…機体、２…ポンプ、３…ポンプ用駆動源、４…制御部、５…環状支持体、６…ホッパー、６ｂ…鉢状部分、６ｃ…下端部、８…上蓋、９…回転軸、１１…攪拌羽根、１２…焦げ付き防止用羽根、１３…押し込み羽根、１４…ポンプ用駆動源、４１…バネ性の樹脂片、４８ａ…フランジ、４８ｂ…すり鉢状環状壁、５１…貫通孔、５３…誘導加熱コイル、５５…温度センサー、５５ａ…温度センサーの先端部、５６…支持部材、５８…バネ部材、４５ａ…上壁、４５ｂ…下壁、４６…上方開口、４７…下方開口、４５…ケース体、４８…ホッパー用受け、６１…熱放出用の開口、６２…熱放出ファン。
【発明を実施するための最良の形態】
【００１４】
以下、図１乃至図１２に示す本発明を実施するための最良の形態により説明する。【００１５】
（１）発明の実施の環境…図１
図１は発明の実施の環境を示す概略説明図である。図１に於いて、Ｘはスープ類の誘導加熱装置である。１は具入りスープ類を一定量ずつ供給するポンプ２及びポンプ用駆動源３を備えた機体である。前記ポンプ２は機体１の前面に水平方向に突出するように設けられている。４は機体１の内部に設けられた制御部で、この制御部４は各種の制御を行う。例えば温度センサーの検知信号を取得して誘導加熱コイル用の供給電源（高周波電力）をＯＮ、ＯＦＦする、ポンプ用駆動源３及び攪拌羽根用駆動源の駆動電源をＯＮ、ＯＦＦする等である。【００１６】
５はポンプの上方に位置するように前記機体１に一体的に設けられたホッパー用環状支持体（ホッパー受台）で、この環状支持体５の内部には、後述する温度センサーを備えた支持部材が固定されている。【００１７】
６は前記環状支持体５のすり鉢状環状壁に自在に嵌合するホッパーで、このホッパー６のすり鉢状部分（下方に先細り状円筒形部分）を前記すり鉢状環状壁に支持されると、ホッパー６の短筒状下端部は、前記環状支持体５の下面から突出し、該短筒状下端部は連結手段７を介してポンプ２の上方開口に着脱自在にセットされる。【００１８】
８はホッパーの上蓋で、この上蓋８には回転軸９が回転自在に垂下されている。回転軸９には具入りスープ類を攪拌する攪拌羽根１１と、該攪拌羽根１１より下方位置にホッパーのすり鉢状部分の内周面を摺接するバネ性の樹脂片を有する焦げ付き防止用羽根１２と、食する物をポンプ２の上方開口側に押し込む押し込み羽根１３とがそれぞれ設けられている。【００１９】
１ｄは機体１の上端部の前面側にヒンジを介して回転自在に枢着された上部収納箱で、この上部収納箱１ｄ内には、図示しない取付け板を介して攪拌羽根用駆動源１４が設けられている。この駆動源１４の出力軸と、前述した回転軸９の突出上端部は凹凸の嵌合手段１５を介して嵌合自在に連結する。【００２０】
（２）機体１…図１、図２
図１及び図２を参照にして機体１を説明する。１ａは下部支持台、１ｂは下部支持台１ａの上方に一体的に設けられ、かつ後壁に放熱用の開口を有する縦型の制御箱、１ｃは縦型制御箱１ｂと交差するように下部支持台１ａの上方に一体的に設けられた操作箱、１ｄは前述した上部収納箱である。機体１の各箱部は、任意に設計変更可能であるから、図示した機体１の形態に限定されない。【００２１】
しかして、前記制御箱１ｂの内部空間には、内部に電源用基板１７を有する制御部４が設けられている。電源用基板１７は、コード１８を介して商業電源（交流）１９と接続可能である。【００２２】
したがって、特に電気回路を図示しないが、電源用基板１７には、ＡＣ／ＤＣ変換器が設けられている。また、前記操作箱１ｃの傾斜状の前面には、電源用基板１７と電気的に接続する複数個の操作釦（スイッチ）を有する操作パネル２０が設けられている。操作パネル２０の操作釦を押すと、ポンプ２用駆動源３や攪拌用駆動源１４がそれぞれ起動する。もちろん、電源用操作釦を押すと、制御部４は誘導加熱コイル用に高周波電力を供給する。【００２３】
（３）ポンプ２…図３
ポンプ２は、弁本体の外筒（外弁）２１とポンプヘッド２２とを締付け手段２３を介して取外し可能に結合するプランジャー型ポンプある。前記ポンプヘッド２２に形成した吸引孔（上方開口）２４及び吐出孔２５に対してそれぞれ連通可能な開口２７を有する筒状内弁２６を外弁２１に回動自在に設けている。【００２４】
そして、この内弁２６の軸方向側の壁面に対して、内弁２６の開口２７と連通すると共に、前記吸引孔２４及び吐出孔２５に選択的に連通可能な通孔２８を有するシール２９を固定的に取付けている。【００２５】
ところで、前記内弁２６の突出内端部２６ａには、動力伝達手段３１を介して第1駆動源３２の駆動力が伝達され、また、前記プランジャー３０の突出端部には動力変換機構３３を介して第２駆動源３４の駆動力が伝達される。そして、前記第1駆動源３２及び第２駆動源３４は、前述した電源用基板１７に電気的に接続している。【００２６】
このポンプ２は、ホッパー６から具入りスープ類を一定量ずつ供給することができるように、第1駆動源３２の駆動力により内弁２６が所定量（例えば略１８０度）間欠的に回転し、内弁２６が間欠的に回転するのに対応してプランジャー３０が第２駆動源３４の駆動力により往復動し、ポンプ２内の食する物を、その吐出孔２５の下方に置かれたコップ３５へと一定量供給する。【００２７】
（４）ホッパー６…図４、図６
ホッパー６は、ポンプ２の吸引孔（上方開口）２４に連結手段７を介して着脱自在に取付けられる。図４で示すように、ホッパー６は、磁性金属材料で「じょうご状」に成形されている。ホッパー６は、特許文献１と同じである。したがって、本実施例のホッパー６は、上端部が大きく開口する長筒状部６ａと、この長筒状部６ａの下端部に連設するすり鉢状部分６ｂと、このすり鉢状部分６ｂに連設する小さい開口の短筒状部分６ｃとから成り、前記短筒状部分６ｃには、連結用のフランジ部が周設されている。なお、連結手段７の構成は割愛する。【００２８】
（５）上蓋８、回転軸９…図４、図１０、図１１
上蓋８はホッパー６の上端部に嵌着自在に装着される。また、回転軸９は、上蓋８の上面に設けられた嵌合手段１５を介して該上蓋８に回転自在に垂下されている。しかして、１１は、回転軸９の中央部に交差状（Ｘ状）に固定された複数（２枚）の攪拌羽根で、これらの攪拌羽根１１はスープの具を上方に舞い上げる。本実施例では、攪拌羽根１１は、傾斜状の幅広部分１１ａと、この幅広部分１１ａの上端部に連設する短い水平部分１１ｂとから成る。スープの具は前記短い水平部分１１ｂと幅広部分１１ａに当って効率的に攪拌する。【００２９】
１２は、その垂直基端部が回転軸９に固定された焦げ付き防止用羽根で、この焦げ付き防止用羽根１２の傾斜状自由端部１２ａには、ホッパー６のすり鉢状部分６ｂの内周面を摺接するバネ性の樹脂片４１が取り外し可能に装着されている。【００３０】
図１２で示すように、前記傾斜状自由端部１２ａは、長さ方向に切欠４２を有する断面Ｃ字形状である。バネ性の樹脂片４１は、前記傾斜状自由端部１２ａに嵌入する取付け基端部４１ａと、この取付け基端部４１ａから前記切欠４２を介して所定量長板状に突出するバネ性の摺接部分４１ｂとから成る。そして、前記バネ性の摺接部分４１ｂは、焦げ付きを剃り取る機能を有する。【００３１】
ところで、本実施例では、焦げ付き防止用羽根１２の取付け基端部の下端には、回転軸９の下端面よりも下方に延びる小突片状の攪拌部分１２ｂが連設している。この小突片状の攪拌部分１２ｂは、図６で示すように、ホッパー６の短筒状部分６ｃの小さい開口４３内に位置し、スープの具が短筒状部分６ｃ内に留まるのを防止する役割を果たす。また、回転軸９は焦げ付き防止用羽根１２の反対側に食する物をポンプ２の上方開口側に押し込む押し込み羽根１３を有している。この押し込み羽根１３は前述した攪拌羽根１１と同様の形状をしている。【００３２】
（６）環状支持体５…図７
環状支持体５は、図1及び図２で示すように、機体１の左右の操作箱１ｃ、１ｃと上部収納箱１ｄの間の外部空間に位置するように制御箱１ｂの前面に突出状態に取付けられている。【００３３】
図７は環状支持体５の一例を示す説明図である。図７で示すように、環状支持体５は、上壁４５ａに形成された上方開口４６と下壁４５ｂに形成された下方開口４７を有するケース体４５と、このケース体４５の内部に前記上方開口４６を囲むようにフランジ４８ａ及び固定手段を介して固定され、かつ前記フランジ４８ａに連設するすり鉢状環状壁４８ｂを有するホッパー用受け４８とから成る。【００３４】
しかして、前記すり鉢状環状壁４８ｂの上部の一部には、温度センサー用の貫通孔５１が形成されている。そして、前記貫通孔５１の外側に位置するように、前記すり鉢状環状壁４８ｂの内壁面には、温度センサー防御用の防磁部材５２が設けられている。【００３５】
防磁部材５２の形状は筒状又は枠状である。本実施例では、すり鉢状環状壁４８ｂの内壁面の下部側に巻き付けた誘導加熱コイル５３の発熱により、温度センサーを支持する支持部材が変形しないように、上向きコ字の枠状に形成されている。なお、ケース体４５の下方開口４７は上方開口４６よりも大きく、ホッパー用受け４８は、ケース体４５の下方から該ケース体４５の中に入れ、そのフランジ４８ａはケース体４５の上壁４５ａの下面に固定される。【００３６】
（７）温度センサーと支持部材…図８、図９
図８は可動式の温度センサー５５を備えた支持部材５６の斜視図である。また、図９は支持部材５６をホッパー用受け４８に取付けた概略断面説明図である。【００３７】
図９で示すように、支持部材５６は誘導加熱コイル５３から遮蔽された状態でホッパー用受け４８のすり鉢状環状壁４８ｂの内壁面に複数本の固着手段５７を介して固定される。【００３８】
しかして、前記支持部材５６は、すり鉢状環状壁４８ｂの貫通孔５１に嵌合する断面段差状の筒状案内支持板５６ａと、この筒状案内支持板５６ａに複数本の固着手段５７を介して一体的に連結されたバイプ状部分及び該バイプ状部分の外周壁の中央部に周設された取付けフランジを有するパイプ状支持板５６ｂとから成る。【００３９】
温度センサー５５は、その先端部５５ａがすり鉢状環状壁４８ｂの貫通孔５１を介して支持部材５６に設けたバネ部材５８でホッパー６のすり鉢状部分６ｂの外面に当接する方向に常時付勢されている。【００４０】
付言すると、可動の温度センサー５５は、先端部５５ａが筒状案内支持板５６ａの不番の中心孔を貫通してすり鉢状環状壁４８ｂの外壁面から所定量突出していると共に、先端部５５ａに連設する大径筒状の後端部５５ｂは、パイプ状支持板５６ｂの先端部に摺動自在に外嵌合している。【００４１】
そして、バネ部材５８は温度センサー５５に内装され、一端部は温度センサー５５の内面に圧接し、他端部は第２パイプ状支持板５６ｂの先端面に圧接している。また、温度センサー５５用の接続コード５９はパイプ状支持板５６ｂ内を通って制御部４に接続する。【００４２】
なお、前記筒状案内支持板５６ａは可動の温度センサー５５を進退方向に案内する案内部材の役割を果たす。また、温度センサー５５と支持部材５６の組み合わせは任意に設計変更可能である。【００４３】
（８）ホッパー用環状支持体とホッパーとの関係
図５はホッパー６をホッパー用環状支持体５にセットする前の説明図である。図５では、温度センサー５５はバネ部材５８のバネ力により、その先端部５５ａは所定量突出している。一方、図６はホッパーをホッパー用環状支持体にセットした説明図である。図６では、温度センサー５５はバネ部材５８のバネ力に抗してケース体４５の内部へ所定量後退した。しかし、可動式の温度センサー５５はバネ部材５８のバネ力により常時付勢されているので、その先端部５５ａはホッパー６のすり鉢状部分６ｂの外面に確実に当接している。【００４４】
（９）制御部４の電源用基板１７
制御部４の電源用基板１７は、環状支持体５或いは機体１に設けられ、かつ、誘導加熱コイル５３に配線を介して電気的に接続し、該誘導加熱コイル５３に高周波電力を供給する。【００４５】
特に図示しないが、ホッパー６は、内側のフェライト系ステレス層と、外側のフェライト系ステレス層と、これらのステレス層の間に介在するアルミニューム層（加熱促進層）の三層構造である。【００４６】
フェライト系ステレス層は磁性金属材料であるから、電源用基板１７から誘導加熱コイル５３に高周波電力が供給されると、いわゆるジュール熱でホッパー６のすり鉢状部分６ｂが誘導加熱され、例えば具入りスープが１２０度加熱されて沸騰する。その結果、誘導加熱コイル５３に対する電源供給や攪拌用駆動源１４に対する制御如何によっては、前記すり鉢状部分６ｂの内壁面が焦げ付く恐れがある。【００４７】
そこで、本実施例では、ホッパー内の食する物を加熱乃至沸騰させる場合には、回転軸９を右及び左に交互に回転させる。回転軸９が回転すると、攪拌羽根１１は食する物を均等状態に攪拌する。また、焦げ付き防止用羽根１２も回転軸の回転方向に回転するが、その際、バネ性の樹脂片４１がホッパー６のすり鉢状部分６ｂの内周面を剃るように摺接する。そして、制御部４は温度センサー５５が検出する温度情報を取得し、例えば食する物が沸騰した時（例えば設定温度が１２０度の時）、誘導加熱コイル５３に対する電源供給を止める。
【実施例】
【００４８】
発明の実施の形態で示した実施例に於いて、環状支持体５の形態は、ホッパー６の形態に対応して任意に設計変更される。図１３及び図１４は、環状支持体５Ａのケース体４５一側壁に熱放出用の開口６１が形成されて、該開口６１に臨むようにケース体４５には熱放出ファン６２が内装されている。このように構成すると、環状支持体５Ａ内の熱を放出することができる。【００４９】
なお、本実施例では、ポンプはプランジャー型であるが、これは一例に過ぎない。ポンプはプランジャー（押し出し棒）を有しないものであっても良い。付言すると、空気抜き孔を有する回動内弁が駆動源の駆動力で１８０度回転し、該回動筒状の開口と外弁の吐出孔（下方開口）が連通状態になった場合に於いて、回動筒状内のスープ類が自重で自然に流れるポンプであっても良い。
【産業上の利用可能性】
【００５０】
本発明は、スープ類を供給源で加熱しつつポンプを介して一定量ずつ供給する場合に適合する。
【図１】
2010050043.tif 000003
【図２】
2010050043.tif 000004
【図３】
2010050043.tif 000005
【図４】
2010050043.tif 000006
【図５】
2010050043.tif 000007
【図６】
2010050043.tif 000008
【図７】
2010050043.tif 000009
【図８】
2010050043.tif 000010
【図９】
2010050043.tif 000011
【図１０】
2010050043.tif 000012
【図１１】
2010050043.tif 000013
【図１２】
2010050043.tif 000014
【図１３】
2010050043.tif 000015
【図１４】
2010050043.tif 000016
【国際調査報告】
2010050043.tif 000017
2010050043.tif 000018
2010050043.tif 000019
2010050043.tif 000020
2010050043.tif 000021